(57)【要約】【目的】  視聴者がリアルタイムで視聴したい番組の一部を見逃す心配をせず、コマーシャルメッセージの間だけ他の番組を覗いたり、あるいは家の中で他の用事をすませたりすることを可能にする装置を提供することを目的とする。【構成】  コマーシャルメッセージ放映時間の終了を知らせる手段とテレビ受信機のチャンネル切り替えをリモートコントロールする手段とを併せ持つ構成を備える。【選択図】      図１
2005167951.tif 000002
【特許請求の範囲】
【請求項１】
コマーシャルメッセージ放映時間の終了を知らせる手段とテレビ受信機のチャンネル切り替えをリモートコントロールする手段とを併せ持つ構成を備えることを特徴とするテレビのリモートコントロール装置。
【発明の詳細な説明】
【発明の詳細な説明】
【産業上の利用分野】
【０００１】本発明は、テレビのリモートコントロール装置に関する。
【背景技術】
【０００２】  従来、テレビのリモートコントロール装置は、テレビのチャンネル選択のほかに、音量調節、タイマー設定、主音声／副音声切り替え、音声ミュートなどを選択する手段のみを備えていた。一方、コマーシャルメッセージ部分の視聴を略する手段としては、ＣＭカット機能を持つビデオレコーダが市販されている。しかしながら、リアルタイムでテレビ番組を視聴しながら、コマーシャルメッセージの間だけ他の番組を覗いたり、あるいは家の中で他の用事をすませたりといったことを行いたい場合、コマーシャルメッセージが終了した時が知らされなければ、視聴者は見たい番組を一部見逃してしまう可能性が生じる。そのために、他の番組を覗いたり、家の中での用事を行ったりといった行為を我慢することを視聴者は強いられることがある。コマーシャルメッセージの終了を知る手がかりとしては、複数のテレビ受信機を利用する方法があるが、設置場所や持ち運びに困難が伴う。
【発明が解決しようとする課題】
【０００３】  このように、テレビ受信機と従来のテレビのリモートコントロール装置の組み合わせにおいては、リアルタイムで視聴したい番組の一部を見逃す心配をせず、コマーシャルメッセージの間だけ他の番組を覗いたり、あるいは家の中で他の用事をすませたりすることは困難であった。
【０００４】  本発明は、視聴者がリアルタイムで視聴したい番組の一部を見逃す心配をせず、コマーシャルメッセージの間だけ他の番組を覗いたり、あるいは家の中で他の用事をすませたりすることを可能にする装置を提供することを目的とする。
【課題を解決するための手段】
【０００５】  上記目的を達成するために、請求項１に記載の発明は、コマーシャルメッセージ放映時間の終了を知らせる手段とテレビ受信機のチャンネル切り替えをリモートコントロールする手段とを併せ持つ構成を備えることを特徴としている。
【発明を実施するための最良の形態】
【０００６】  まず、本発明の概要を図１を用いて説明する。図１は、電源投入ボタン１、チャンネル操作ボタン２、音量調節ボタン３、タイマー設定ボタン４、主音声／副音声切り替えボタン５、音声ミュートボタン６など公知のテレビリモートコントロール装置が有するボタンと、コマーシャルメッセージ終了告知機能選択スイッチ７とからなる。これらを兼ね備えたテレビリモートコントロール装置８においてコマーシャルメッセージ終了告知機能をオンにすると、その時点でテレビ受信機に映されているチャンネルが記憶される。そして、そのチャンネルにおいてコマーシャルメッセージの放映が終了し、番組が再開されたとき、リモートコントロール装置に内蔵されたアラームが作動する。アラームとしては音によるもの、光によるもの、またはチャンネルの自動切換えによるものなどの手段をとることが可能である。【０００７】  以下に本発明の第一の実施形態を図２を用いて説明する。この実施形態においては、コマーシャルメッセージ終了告知機能選択スイッチ７を兼ね備えたテレビリモートコントロール装置８の中に、テレビチューナ９が内蔵されている。コマーシャルメッセージの終了を検知する方法として、テレビチューナで検波した音声信号がステレオからモノラルに切り替わることを利用する。チャンネル操作ボタン２は、赤外線信号発信装置１０を制御し、赤外線信号発信装置１０は映像表示画面を備えたテレビ受信機１１に選局情報を送信する。一方、コマーシャルメッセージ終了告知機能選択スイッチ７がオフのときは、内蔵されたテレビチューナ９の選局状態がテレビ受信機本体１１と連動するようにチャンネル操作ボタン２で切り替えられる状態となり、スイッチ７がオンのときは、内蔵されたテレビチューナ９の選局状態がチャンネル操作ボタン２の操作の影響を受けない状態となるように、スイッチ７は回路を切り替える機能を持つ。スイッチ７がオン状態にあるとき、テレビチューナ９は音声信号を出力し続け、その音声信号がステレオからモノラルに切り替わったときにアラーム１２を作動させる回路１３がテレビリモートコントロール装置８に組み込まれている。これにより、モノラル放送の番組においては、視聴者が見ていた番組のチャンネルについて、スイッチ７をオンにすると、コマーシャルメッセージ再開時にアラームを発信することが可能となる。視聴者の利便性のため、テレビリモートコントロール装置８は、テレビチューナ９がチューニングしているチャンネルの表示と、その番組がモノラル放送であるかステレオ放送であるかを示す表示とを兼ね備えることもできる。【０００８】  以下に本発明の第二の実施形態を図３を用いて説明する。この実施形態においては、第二の実施形態に加えて画像処理用のマイクロコンピュータ１４が組み込まれている。第一の実施形態では、ステレオ放送の場合にコマーシャルメッセージの終了を知ることができない。そこで、テレビチューナ９からの画像信号を画像処理用のマイクロコンピュータ１４に入力し、画像処理によりコマーシャルメッセージ終了を検知し、アラームを作動するようにする。このような画像処理方法としては、市販のＣＭカット機能を持つビデオレコーダなどに使われている公知の技術を使うことができる。また、コマーシャルメッセージの前後で、たびたび同じ内容が繰り返されるような番組においては、その繰り返しを画像処理により検知すれば、繰り返し部分が終了した後にアラームを作動させるといった追加機能を持たせることも可能となる。【０００９】  以下に本発明の第三の実施形態を図４を用いて説明する。この実施形態においては、コマーシャルメッセージ終了告知機能選択スイッチ７を兼ね備えたテレビリモートコントロール装置８の中に、第一の実施形態および第二の実施形態で用いられていたテレビチューナの代わりに、コマーシャルメッセージ終了を知らせる信号を受信するセンサ１５とそのセンサで受け取る情報とコマーシャルメッセージ終了告知機能選択スイッチ７を押す前の選局情報とを照合してアラームを起動する回路１６を内蔵する。コマーシャルメッセージ終了を知らせる信号を発信する装置１７は、テレビリモートコントロール装置８から離れて設置されている。この装置１７がコマーシャルメッセージ終了時の情報を得る方法としては、遠隔の情報配信センターにおいて、人間または計算機によるテレビ映像の分析によりコマーシャルメッセージ終了時を判断し、それがインターネットなどの回線を使って装置１７に配信する方法、あるいは、装置１７がテレビチューナと接続、あるいはテレビチューナを内蔵しており、それを装置１７に内蔵されたプロセッサが画像解析することにより判断する方法のどちらかの手段をとることで実現可能である。装置１７とセンサ１５の間でやりとりされる信号は、赤外線通信ではなく、一般の家の中で概ねどの場所でも通信が可能な電波を利用する通信方式を採用することができる。
【発明の効果】
【００１０】この発明は上記した構成からなるので、以下に説明するような効果を奏することができる。
【００１１】  請求項１に記載の発明では、視聴者がリアルタイムで視聴したい番組の一部を見逃す心配をせず、コマーシャルメッセージの間だけ他の番組を覗いたり、あるいは家の中で他の用事をすませたりすることが可能となった。
【図面の簡単な説明】
【図１】  本発明の概略を示す模式図である。
【図２】  本発明の第一の実施形態を示す模式図である。
【図３】  本発明の第二の実施形態を示す模式図である。
【図４】  本発明の第三の実施形態を示す模式図である。
【符号の説明】
１  電源投入ボタン
２  チャンネル操作ボタン
３  音量調節ボタン
４  タイマー設定ボタン
５  主音声／副音声切り替えボタン
６  音声ミュートボタン
７  コマーシャルメッセージ終了告知機能選択スイッチ
８  テレビリモートコントロール装置
９  テレビチューナ
１０  映像表示画面を備えたテレビ受信機
１１  赤外線信号発信装置
１２  アラーム
１３  音声信号の切り替わりを検知しアラームを作動させる回路
１４  マイクロコンピュータ
１５  コマーシャルメッセージ終了を知らせる信号を受信するセンサ
１６  センサ情報と選局情報を照合してアラームを起動する回路
１７  コマーシャルメッセージ終了を知らせる信号を発信する装置
【図１】
2005167951.tif 000003
【図２】
2005167951.tif 000004
【図３】
2005167951.tif 000005
【図４】
2005167951.tif 000006